(57)【要約】【課題】カラー電子写真方式の印刷機の部品を低減し，その作動方法を簡便にする。【解決手段】感光ドラム１１０及び現像ローラ１３２を含むカラー別の現像器カートリッジ１３０が，上記感光ドラム１１０と接触する印刷経路の紙搬送方向に対して垂直に順次設置され，上記感光ドラム１１０を同時に開閉する一つの感光ドラムカバー装置１７０を備えることを特徴とするカラー電子写真方式の印刷機である。これによれば，感光ドラムカバー装置が，複数の感光ドラムを一つの器具でカバーできるので，プリンタの部品数を減らすことができ，また小型化したカラープリンタを構成できる。【選択図】図４
2005043899.tif 000002
【特許請求の範囲】
【請求項１】
感光ドラム及び現像ローラを含む複数のカラー別現像器カートリッジが，前記感光ドラムと接触する印刷経路の紙搬送方向に対して垂直に順次設置されるカラー電子写真方式の印刷機において，
前記感光ドラムを同時に開閉する少なくとも一つの感光ドラムカバー装置を備えることを特徴とする，カラー電子写真方式の印刷機。
【請求項２】
前記感光ドラムカバー装置は：
前記各感光ドラムを露出させる複数の長溝が形成された感光ドラムカバーと；
前記感光ドラムカバーの上部を弾性的に支持する第１弾性部材と；
前記感光ドラムカバーの下部を弾性的に支持する第２弾性部材と；
前記第１弾性部材または前記第２弾性部材のいずれか一つと，前記感光ドラムカバーと，の間に設置されて，その位置の変位によって前記感光ドラムカバーを所定距離だけ前記印刷経路に沿って移動させる突出部材と；
を備えることを特徴とする，請求項１に記載のカラー電子写真方式の印刷機。
【請求項３】
前記感光ドラムカバーは，フレキシブルフィルムであることを特徴とする，請求項２に記載のカラー電子写真方式の印刷機。
【請求項４】
前記感光ドラムカバーは，ポリカーボネートフィルムであることを特徴とする，請求項２に記載のカラー電子写真方式の印刷機。
【請求項５】
前記突出部材は，一側に移動すれば，前記感光ドラムカバーの各長溝内に前記感光ドラムが突出して前記感光ドラムと前記印刷経路との間に接触部を形成し，元来の位置に戻れば，前記感光ドラムカバーが前記接触部をブロッキングすることを特徴とする，請求項２に記載のカラー電子写真方式の印刷機。
【請求項６】
複数のカラー別の感光ドラム及び複数の現像器が，前記感光ドラムと接触する印刷経路の紙搬送方向に対して垂直に順次設置されるカラー電子写真方式の印刷機において，
前記感光ドラムを同時に開閉する少なくとも一つの感光ドラムカバー装置を備えることを特徴とする，カラー電子写真方式の印刷機。
【請求項７】
前記感光ドラムカバー装置は：
前記各感光ドラムを露出させる複数の長溝が形成された感光ドラムカバーと；
前記感光ドラムカバーの上部を弾性的に支持する第１弾性部材と；
前記感光ドラムカバーの下部を弾性的に支持する第２弾性部材と；
前記第１弾性部材または前記第２弾性部材のいずれか一つと，前記感光ドラムカバーと，の間に設置されて，外力によるその位置の変位によって前記感光ドラムカバーを所定距離だけ前記印刷経路に沿って移動させる突出部材と；
を備えることを特徴とする，請求項６に記載のカラー電子写真方式の印刷機。
【請求項８】
前記感光ドラムカバーは，フレキシブルフィルムであることを特徴とする，請求項７に記載のカラー電子写真方式の印刷機。
【請求項９】
前記感光ドラムカバーは，ポリカーボネートフィルムであることを特徴とする，請求項７に記載のカラー電子写真方式の印刷機。
【請求項１０】
前記突出部材は，一側に移動すれば，前記感光ドラムカバーの各長溝内に前記感光ドラムが突出して前記感光ドラムと前記印刷経路との間に接触部を形成し，元来の位置に戻れば，前記感光ドラムカバーが前記接触部をブロッキングすることを特徴とする，請求項７に記載のカラー電子写真方式の印刷機。
【請求項１１】
印刷経路に複数の感光ドラム及び現像器を備える電子写真方式の印刷機の作動方法において：
前記複数の感光ドラムに対応する長溝が形成された感光ドラムカバーを備える感光ドラムカバー装置を前記印刷機に設置する段階と；
前記感光ドラムカバー装置を前記感光ドラムが露出される第１位置に移動させる段階と；
前記感光ドラムカバー装置を前記感光ドラムが保護される第２位置に移動させる段階と；を備えることを特徴とする，電子写真方式の印刷機の作動方法。
【請求項１２】
前記移動させる段階は；
第１弾性部材または第２弾性部材のうちいずれか一つと，前記感光ドラムカバーと，の間に設置された突出部材を移動させることを特徴とする，請求項１１に記載の電子写真方式の印刷機の作動方法。
【請求項１３】
前記感光ドラムカバーは，フレキシブルフィルムを備えることを特徴とする請求項１１に記載の電子写真方式の印刷機の作動方法。
【請求項１４】
前記感光ドラムカバーは，ポリカーボネートフィルムを備えることを特徴とする請求項１１に記載の電子写真方式の印刷機の作動方法。
【発明の詳細な説明】
【技術分野】
【０００１】
本発明はカラー電子写真方式の印刷機及びその作動方法に係り，詳しくは構造を簡略化し，省スペース化するカラー電子写真方式の印刷機及びその作動方法に関する。
【背景技術】
【０００２】
一般的に，電子写真方式を利用する印刷機は，一定の電位に帯電された感光媒体に光を走査して静電潜像を形成し，現像器を利用して静電潜像を所定色相のトナーで現像した後，これを用紙に転写及び定着させて単色画像またはカラー画像を印刷する装置である。
【０００３】
電子写真方式の印刷機は，使われる現像剤によって湿式及び乾式電子写真方式の印刷機に大別される。湿式電子写真方式の印刷機は，液状のキャリアに粉末状のトナーが分散された現像剤を使用する。乾式電子写真方式の印刷機は，粉末状のキャリアとトナーとが混合された二成分現像剤，またはキャリアがない一成分現像剤を使用する。以下では，乾式電子写真方式の印刷機について説明し，便宜上，現像剤はトナーと称する。
【０００４】
カラー画像を印刷する場合には，通常イェロー（Ｙ：Ｙｅｌｌｏｗ），マゼンタ（Ｍ：Ｍａｇｅｎｔａ），シアン（Ｃ：Ｃｙａｎ）及びブラック（Ｋ：Ｂｌａｃｋ）色相のトナーが必要であり，したがって，上記４つの色相のトナーをそれぞれ現像する４つの現像器が必要である。カラー画像を形成する方式には，転写体が４つのカラー画像がそれぞれ形成された感光体を１回過ぎる時に上記カラー画像が順次に転写されるシングルパス方式と，転写体が上記感光体を過ぎる時に一つの感光体からのみ画像が転写され，このような転写過程が反復してイメージ画像が形成されるマルチパス方式とがある。何れの場合にも，現像器は，通常，前述した４つの現像器が必要である。
【０００５】
マルチパス方式は，カラー画像を印刷する場合には，単色画像を印刷する場合より算術的に少なくとも４倍の時間がかかるが，装置の構造がシングルパス方式に比べて簡単である。シングルパス方式は，単色画像を印刷する場合とカラー画像を印刷する場合との印刷速度が同じであるので，高速カラー印刷が可能である。
【０００６】
図１は，従来のシングルパス方式の電子写真方式の画像形成装置を概略的に示す断面図であり，図２は，図１の現像器を示す断面図である。
【０００７】
まず，図１を参照すれば，画像形成装置は，一定の電位に帯電された感光ドラム１０に光を走査して所望の画像の静電潜像を形成する光走査ユニット２０と，静電潜像をＹ，Ｍ，Ｃ，Ｋという４つの色相のトナーで現像して感光ドラム１０上にトナー画像を形成する４つの現像器３０と，上記感光ドラム１０に形成された４つの色相のトナー画像を順次に重畳されるように転写される用紙を移送する移送ベルト４０と，トナー画像が転写された用紙を加熱及び圧着して画像を用紙上に定着させる定着器５０と，を備える。用紙Ｓを供給する給紙カセット６０は，通常画像形成装置の本体に出入されるように設置されることができる。上記感光ドラム１０は，上記現像器３０のそれぞれに一体型に設置されたものであり，これら感光ドラム１０を含む現像器３０は，シングルパス方式にカラー印刷が行われるよう，紙が搬送される方向に対して垂直に配列されている。よって画像形成装置を小型化することができる。
【０００８】
図２を参照すると，感光ドラム１０は，現像器３０に一体型に形成されている。現像器３０には感光ドラム１０と，上記感光ドラム１０を所定電位に帯電させる帯電ロール３１と，上記感光ドラム１０上の静電潜像を現像する現像ローラ３２と，上記現像ローラ３２で現像器３０内のトナーを供給しつつ混合する多数の攪拌器３３とが配置されている。３４は現像器ケースであり，３４ａは所定電位に帯電された感光ドラム１０上に静電潜像を走査するレーザ光路のための開口部であり，３５は感光ドラム１０の残像を除去するクリーニングロールである。
【０００９】
上記現像器３０には上記感光ドラム１０を交換時またはジャム発生などによってプリンタをオープンする時，感光ドラム１０を光及びほこりから保護するためのカバー７１が構成されている。このカバー７１の両端はそれぞれ，シャフト７２に連結されており，シャフト７２の端は突出部材７３に連結されている。上記シャフト７２及び突出部材７３はヒンジ７４によって結合されており，上記シャフト７２は弾性バネ７５に連結されている。したがって，上記突出部材７３を反時計方向に回転させれば，これにより，シャフト７２及びカバー７１が反時計方向に回転しつつ感光ドラム１０の一部を露出させるので，用紙移送経路上の用紙にトナー画像を転写させることができる。また，上記突出部材７３をリリースすれば，上記シャフト７２は弾性バネ７５によって元来の位置に復帰しつつカバー７１及び突出部材７３を時計方向に回転させ，カバー７１が感光ドラム１０の表面を保護する。
【００１０】
また，本発明にかかる先行技術文献として以下の文献があげられる。
【特許文献１】特開２００１−２７７５８１号公報
【特許文献２】米国特許第６，３３１，３９０号明細書
【特許文献２】米国特許第５，６１０，７０１号明細書
【特許文献２】米国特許第５，１１１，２４５号明細書
【特許文献２】米国特許第４，９３９，５４８号明細書
【発明の開示】
【発明が解決しようとする課題】
【００１１】
しかし，上記従来の方法では，感光ドラム１０が現像器３０に含まれた４つのトナーカートリッジを使用して，紙搬送方向に対し垂直に配列されるシングルパス方式のカラープリンタの場合，各トナーカートリッジごとに上記感光ドラム１０を保護するカバー器具が必要になるので，プリンタの空間を多く占め，小型化したカラープリンタの製造に障害になるという問題があった。
【００１２】
そこで，本発明は，このような問題に鑑みてなされたもので，その目的とするところは，新規改良された感光ドラムの保護装置を単純化することにより，小型化可能なカラー電子写真方式の印刷機及びその作動方法を提供することにある。
【課題を解決するための手段】
【００１３】
上記課題を解決するために，本発明のある観点によれば，感光ドラム及び現像ローラを含む複数のカラー別現像器カートリッジが，上記感光ドラムと接触する印刷経路の紙搬送方向に対して垂直に順次設置されるカラー電子写真方式の印刷機において，上記感光ドラムを同時に開閉する少なくとも一つの感光ドラムカバー装置を備えるカラー電子写真方式の印刷機が提供される。
【００１４】
また，上記感光ドラムカバー装置は，上記各感光ドラムを露出させる複数の長溝が形成された感光ドラムカバーと，上記感光ドラムカバーの上部を弾性的に支持する第１弾性部材と，上記感光ドラムカバーの下部を弾性的に支持する第２弾性部材と，上記第１弾性部材または上記第２弾性部材のいずれか一つと，上記感光ドラムカバーとの間に設置されて，その位置の変位によって上記感光ドラムカバーを所定距離だけ上記印刷経路に沿って移動させる突出部材と，を備えてもよい。
【００１５】
また，上記感光ドラムカバーはフレキシブルフィルムであってもよく，望ましくはポリカーボネートフィルムであるとよい。
【００１６】
また，上記突出部材は，一側に移動すれば，上記感光ドラムカバーの各長溝内に上記感光ドラムが突出して上記感光ドラムと上記印刷経路との間に接触部を形成し，元来の位置に戻れば，上記感光ドラムカバーで上記接触部をブロッキングしてもよい。
【００１７】
上記課題を解決するために，本発明の別の観点によれば，複数のカラー別の感光ドラム及び複数の現像器が，上記感光ドラムと接触する印刷経路の紙搬送方向に対して垂直に順次設置されるカラー電子写真方式の印刷機において，上記感光ドラムを同時に開閉する少なくとも一つの感光ドラムカバー装置を備えるカラー電子写真方式の印刷機が提供される。
【００１８】
また，上記感光ドラムカバー装置は，上記各感光ドラムを露出させる複数の長溝が形成された感光ドラムカバーと，上記感光ドラムカバーの上部を弾性的に支持する第１弾性部材と，上記感光ドラムカバーの下部を弾性的に支持する第２弾性部材と，上記第１弾性部材または上記第２弾性部材のいずれか一つと上記感光ドラムカバーとの間に設置されて外力によるその位置の変位によって上記感光ドラムカバーを所定距離だけ上記印刷経路に沿って移動させる突出部材とを備えてもよい。
【００１９】
また，上記感光ドラムカバーは，フレキシブルフィルムであってもよく，望ましくはポリカーボネートフィルムであるとよい。
【００２０】
また，上記突出部材は，一側に移動すれば，上記感光ドラムカバーの各長溝内に上記感光ドラムが突出して上記感光ドラムと上記印刷経路との間に接触部を形成し，元来の位置に戻れば，上記感光ドラムカバーが上記接触部をブロッキングしてもよい。
【００２１】
上記課題を解決するために，本発明の別の観点によれば，印刷経路に複数の感光ドラム及び現像器を備える電子写真方式の印刷機の作動方法において，上記複数の感光ドラムに対応する長溝が形成された感光ドラムカバーを備える感光ドラムカバー装置を上記印刷機に設置する段階と，上記感光ドラムカバー装置を上記感光ドラムが露出される第１位置に移動させる段階と，上記感光ドラムカバー装置を上記感光ドラムが保護される第２位置に移動させる段階と，を備える電子写真方式の印刷機の作動方法を提供する。
【００２２】
また，上記移動させる段階は，第１弾性部材または第２弾性部材のうちいずれか一つと上記感光ドラムカバーとの間に設置された突出部材を移動させてもよい。
【００２３】
また，上記感光ドラムカバーは，フレキシブルフィルムであってもよく，望ましくはポリカーボネートフィルムであるとよい。
【発明の効果】
【００２４】
本発明のカラー電子写真方式の印刷機によれば，紙が搬送される方向に順次配置された現像器カートリッジの前端である紙が搬送され印刷される側に配置された複数の感光ドラムを一つの感光ドラムカバー装置で覆うことができるので，プリンタの部品数を減らすことができ，また小型化したカラープリンタを構成できる利点がある。
【発明を実施するための最良の形態】
【００２５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。この過程で図面に示された層や領域の厚さは，明細書の明確性のために誇張して示したものである。
【００２６】
図３は，本発明の一実施形態によるカラー電子写真方式の印刷機を概略的に示す図面である。
【００２７】
図３を参照すると，現像器カートリッジ１３０は，紙が搬送されてトナーが印刷される経路（本発明にかかる印刷経路のことである。）上に紙搬送方向に対して垂直に順次配列されている。現像器カートリッジ１３０は，感光ドラム１１０を含み，それぞれ当該感光ドラム１１０をＹ，Ｍ，Ｃ，Ｋという４つの色相のトナーで現像する。上記感光ドラム１１０は，各カラー現像器カートリッジ１３０の前端の紙が搬送され印刷される側で印刷経路上の用紙と接触可能に設置されており，上記感光ドラム１１０上には残留トナーを除去するクリーニングロール１３５と，上記感光ドラム１１０を所定の電位に帯電させる帯電ロール１３１と，後述する光走査ユニット１２０によって感光ドラム１１０の表面に形成された静電潜像をＹ，Ｍ，Ｃ，Ｋという４つの色相のトナーで現像して感光ドラム１１０上にトナー画像を形成する現像ローラ１３２が配置されている。上記現像器カートリッジ１３０には多数の攪拌器１３３が設置されて現像器カートリッジ１３０内のトナーを攪拌しつつ上記現像ローラ１３２にトナーを供給する。
【００２８】
一方，現像器カートリッジ１３０の背面側には，光走査ユニット１２０が配置され，現像器カートリッジ１３０のケース（図４の１３４）に形成された開口部（図４の１３４ａ）を通じて各感光ドラム１１０に静電潜像を形成する。
【００２９】
現像器カートリッジ１３０の下側には，用紙Ｓが積載されるカセット１６０及びピックアップローラ１８０が配置されており，カセット１６０からピックアップローラ１８０によってピックアップされた用紙Ｓが印刷経路に進められるように上記感光ドラム１１０と対向する所に用紙移送ベルト１４０が設置されている。
【００３０】
用紙移送経路の後端には上記感光ドラム１１０によって転写された用紙を加熱及び圧着してトナー画像を用紙上に定着させる定着器１５０が配置されている。
【００３１】
図４及び図５は，図３の垂直に配列された現像器カートリッジ１３０及び感光ドラムカバー装置１７０を示す断面図であって，図４は上記感光ドラムカバー装置１７０が開いた状態を示す図面であり，図５は上記感光ドラムカバー装置１７０が閉じた状態を示す図面である。
【００３２】
図４及び図５を参照すれば，感光ドラム１１０を含む複数の現像器カートリッジ１３０が印刷経路の紙搬送方向に対して垂直に順次配列されており，各現像器カートリッジ１３０の前端の紙が搬送され印刷される側には開口部１７１ａが形成された感光ドラムカバー１７１が配置されており，各開口部１７１ａは，当該感光ドラム１１０が印刷経路上の用紙に接触するように設置された状態である。上記感光ドラムカバー１７１の上端である第１バネ１７２側は，第１バネ１７２によってプリンタ本体に連結されており，感光ドラムカバー１７１の下端である第２バネ１７４側は突出部材１７３に連結されており，この突出部材１７３は引き続き第２バネ１７４に連結されてプリンタ本体にその一端が固定されている。この突出部材１７３は，プリンタ作動時またはプリンタ本体が開いていない状態では上記突出部材１７３を押す手段（図示せず。）によって第２バネ１７４が圧縮された状態になり，したがって，第１バネ１７２が延びた状態になる。（本発明にかかる第１位置のことである。）上記突出部材１７３を押す手段をリリースすれば，上記第１バネ１７２の復元力と第２バネ１７４の復元力とによって，感光ドラムカバー１７１は所定距離だけ元の位置である上方向（第１バネ１７２が縮む方向）に移動しつつ現像器カートリッジ１３０の前端の紙が搬送され印刷される側を図５のようにカバーする。（本発明にかかる第２位置のことである。）したがって，上記感光ドラムカバー１７１は，上記感光ドラム１１０の表面を外部光源から保護し，また外部ホコリとの接触を遮断する。上記開口部１７１ａは，長いローラ状の感光ドラムを突出させることができるように，例えば長ホール状に形成される。ここで本発明にかかる第１弾性部材とは第１バネ１７２のことであり，第２弾性部材とは第２バネ１７４のことである。
【００３３】
上記感光ドラムカバー１７１は，フレキシブルなフィルム，例えば，ポリカーボネートフィルムよりなり，その中央部分には当該感光ドラム１１０の位置にそれぞれ開口部１７１ａが形成される。
【００３４】
次に上記構造のカラープリンタの作動方法を，図面を参照して詳細に説明する。
【００３５】
まず，印刷中または印刷待機中のプリンタ内では，各感光ドラム１１０が印刷経路に直接接触できるように，突出部材１７３が第２バネ１７４に向かって押された状態になる。したがって感光ドラムカバー１７１は所定距離だけ第２バネ１７４に向かって移動することになる。この時，第１バネ１７２は延びた状態であり，第２バネ１７４は圧縮された状態になる。（本発明にかかる第１位置のことである。）一方，感光ドラムカバー１７１の開口部１７１ａは，当該感光ドラム１１０の前端の紙が搬送され印刷される側に配置され，感光ドラム１１０は感光ドラムカバー１７１に覆いかぶせられていない状態で，次の画像形成作業が進められる。
【００３６】
まず，感光ドラム１１０が帯電ロール１３１によって一定した電位に帯電されれば，光走査ユニット１２０が光を走査して感光ドラム１１０の表面に静電潜像を形成する。図３のような順序で現像器カートリッジ１３０が配置された場合，Ｙ色相を一番目に現像する。Ｙ色相の現像ローラ１３２が感光ドラム１１０上の静電潜像を現像して感光ドラム１１０上にＹ色相のトナー画像を形成する。このように形成されたＹ画像は，用紙移送ベルト１４０上に置かれて印刷経路を搬送される用紙Ｓ上に転写される。Ｙ画像が転写された用紙は，順次に上記過程の通りに感光ドラム１１０上に形成されたトナー画像が転写される。したがって，上記感光ドラム１１０を通過した用紙には４つの色相のトナー画像が重畳される。このように用紙上に重畳されたトナー画像は，定着器１５０で用紙に圧着及び加熱されて用紙上に定着される。トナー画像が定着された用紙はプリンタ外部に排出される。
【００３７】
一方，上記感光ドラム１１０が露出される場合，例えば，用紙移送経路で用紙が詰まりになった場合，または現像器カートリッジ１３０を交替するためにプリンタ本体を開く場合，押さえられていた突出部材１７３がリリースされつつ第１バネ１７２及び第２バネ１７４が元来の位置に復元される。この時，これらバネに連結された感光ドラムカバー１７１は，第１バネ１７２に向かって所定距離だけ移動しつつ開口部１７１ａがそれぞれの感光ドラム１１０の間に位置する。（本発明にかかる第２位置のことである。）したがって，感光ドラム１１０の全面は感光ドラムカバー１７１に覆いかぶせられることによって外部光源から遮断される。
【００３８】
上記実施形態では，突出部材１７３が感光ドラムカバー１７１の下部，すなわち第２バネ１７４に接続する形態に設置された例を図示したが，一方，突出部材１７３は，感光ドラムカバー１７１の上部，すなわち第１バネ１７２と感光ドラムカバーとの間に接続される形態に配置され，印刷中には第１バネ１７２が伸びる方向に押された状態で開口部１７１ａを感光ドラム１１０の前端の紙が搬送され印刷される側に配置させても上記実施形態と同じ作用を行える。
【００３９】
また，上記実施形態では，複数の感光ドラムが上記現像器カートリッジの前端の紙が搬送され印刷される側に設置され，上記感光ドラムをカバーする装置を説明したが，複数のカラー別の感光ドラムが印刷経路の紙搬送方向に対して垂直に順次配置され，各感光ドラムを現像する各現像器が上記感光ドラムの一側に設置された場合にも，前述した感光ドラムカバー装置を使用することができる。
【００４０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４１】
本発明は，プリンタ製造産業分野の印刷機及びその駆動方法に適用可能であり，特にカラー電子写真方式の印刷機及びその駆動方法に適用可能である。
【図面の簡単な説明】
【００４２】
【図１】従来のシングルパス方式のカラー電子写真方式の印刷機を側面から概略的に示す断面図である。
【図２】図１の一つの現像器を示す断面図である。
【図３】本発明の一実施形態によるカラー電子写真方式の印刷機を側面からみた概略図である。
【図４】図３において，紙搬送方向に対して垂直に順次配列された現像器カートリッジ及び感光ドラムカバー装置を示す側面からみた断面図であり，上記感光ドラムカバー装置が開いた状態を示す断面図である。
【図５】図３において，紙搬送方向に対して垂直に順次配列された現像器カートリッジ及び感光ドラムカバー装置を示す側面からみた断面図であり，上記感光ドラムカバー装置が閉じた状態を示す断面図である。
【符号の説明】
【００４３】
１１０      感光ドラム
１３０      カラー現像器カートリッジ
１３１      帯電ロール
１３２      現像ローラ
１３３      攪拌器
１３４      ケース
１３４ａ    開口部
１３５      クリーニングロール
１７０      カバー装置
１７１      カバー
１７１ａ    開口部
１７２      第１バネ
１７３      突出部材
１７４      第２バネ
【図１】
2005043899.tif 000003
【図２】
2005043899.tif 000004
【図３】
2005043899.tif 000005
【図４】
2005043899.tif 000006
【図５】
2005043899.tif 000007